(57)【要約】【課題】仕上げ寸法の増大や、コスト上の大幅な負担増を招くことなく、中空二重壁における共鳴透過現象を低減し、低音域での遮音性を向上する。【解決手段】コンクリート壁１と、上階側及び下階側に固定された上部ランナー３及び下部ランナー４と、上部ランナー及び下部ランナーに上端部及び下端部が挿入された状態に立設したスタッド５とから成る軽量鉄骨下地ｂの前記スタッドに取り付けた石膏ボード６とで構成された中空二重壁において、コンクリート壁とスタッド背面との間に発泡樹脂製の振止め用支持材７を充填し、振止め用支持材とコンクリート壁との間に防振用面材８をコンクリート壁と非接着状態に介在させる。【選択図】図３
2015117521.tif 000002
【特許請求の範囲】
【請求項１】
コンクリート壁と、上階側及び下階側に固定された上部ランナー及び下部ランナーと、
上部ランナー及び下部ランナーに上端部及び下端部が挿入された状態に立設したスタッド
とから成る軽量鉄骨下地の前記スタッドに取り付けた石膏ボードとで構成された中空二重
壁であって、コンクリート壁とスタッド背面との間に発泡樹脂製の振止め用支持材が充填
され、振止め用支持材とコンクリート壁との間に防振用面材がコンクリート壁と非接着状
態に介在されていることを特徴とする中空二重壁。
【請求項２】
防振用面材が不織布等の柔軟な多孔質材料であることを特徴とする請求項１に記載の中
空二重壁。
【請求項３】
防振用面材が板状に成形されたビーズ法架橋ポリエチレンであることを特徴とする請求
項１に記載の中空二重壁。
【請求項４】
請求項１〜３の何れかに記載の中空二重壁を構築する方法であって、コンクリート壁に
防振用面材を非接着状態に当接させた状態で、防振用面材とスタッド背面との間隙に発泡
ウレタン等の発泡性樹脂を充填することを特徴とする中空二重壁の構築方法。
【発明の詳細な説明】
【技術分野】
【０００１】
本発明は、ＲＣ造又はＳＲＣ造のコンクリート壁と、上階側及び下階側に固定された上
部ランナー及び下部ランナーと、上部ランナー及び下部ランナーに上端部及び下端部が挿
入された状態に立設したスタッドとから成る軽量鉄骨下地の前記スタッドに取り付けた石
膏ボードとで構成された中空二重壁に関し、より詳しくは、中空二重壁における低音域の
遮音性能改善技術に関する。
【背景技術】
【０００２】
例えば、集合住宅における隣戸間の界壁として利用される中空二重壁は、一般に、図９
に示すように、ＲＣ造又はＳＲＣ造のコンクリート壁１と、当該コンクリート壁１と空気
層ａを隔てて立設された仕上げ壁２とで構成されており、仕上げ壁２は、上階側及び下階
側に固定された上部ランナー３及び下部ランナー４と、上部ランナー３及び下部ランナー
４に上端部及び下端部が挿入された状態に立設したスタッド５とから成る軽量鉄骨下地ｂ
と、当該軽量鉄骨下地ｂのスタッド５に取り付けた石膏ボード６とで構成され、石膏ボー
ド６には塗装、壁紙等による仕上げが施されている。
【０００３】
スタッド５背面とコンクリート壁１の間には、中空二重壁の面外強度を確保し、スタッ
ド５の振れ止めを行うための支持材が所定間隔おきに設置され、スタッド５とコンクリー
ト壁１が支持材を介して結合されている。支持材としては、木材等の固形物が使用される
こともあるが、施工性を考慮し、発泡ウレタン等の発泡樹脂製の振止め用支持材７が充填
されることが多い。発泡樹脂製の振止め用支持材７の場合には、発泡樹脂が充填された位
置で発泡硬化することにより、スタッド５とコンクリート壁１が発泡樹脂製の振止め用支
持材７を介して結合された状態となる。
【０００４】
ところで、この種の中空二重壁においては、１２５Ｈｚ近辺の低音域で遮音性能が低下
することが知られている。即ち、中空二重壁においては、質量の大きなコンクリート壁自
体の遮音性能が発揮されるものの、図１０の（Ａ）、（Ｂ）、（Ｃ）に示すように、スタ
ッド５で支持された石膏ボード６とコンクリート壁１との間に空気層ａが形成され、低音
域では、ボード質量と、空気層ａによる空気バネの共振により共鳴透過現象（いわゆる太
鼓現象）が発生し、コンクリート壁１単独の場合よりも遮音性能が低下するのである。
【０００５】
また、図１０の（Ａ）に示すように、振止め用支持材７によりスタッド５とコンクリー
ト壁１を結合すると、振止め用支持材７が無い場合（スタッド５とコンクリート壁１を結
合しない場合）より共鳴周波数が上昇して共鳴透過現象が悪化し、１２５Ｈｚ近辺での遮
音性能が低下することも知られている。
【０００６】
これらの事実に鑑み、中空二重壁における共鳴透過現象を低減させて、低音域の遮音性
能を改善する方法として、従来より、次の三つが提案されている。
(1) 空気層の増大と石膏ボードの厚さ増大により、共鳴周波数を下げること。
(2) 空気層に吸音材を充填すること。
(3) 振止め用支持材を用いないこと（スタッドとコンクリート壁を結合しないこと）。
【０００７】
しかしながら、第一の方法では、仕上げ寸法が増大し、室内空間が狭くなるといった問
題があり、第二の方法では、吸音材の使用により、コスト上の負担が大きくなるといった
問題がある。第三の方法では、中空二重壁の面外強度を確保するためには、軽量鉄骨下地
として高剛性のものを使用する必要があり、コスト上の負担が大きくなるといった問題が
ある。
【０００８】
また、木軸下地を用いた中空二重壁を対象とする技術ではあるが、格子状の木軸下地と
石膏ボードとの間に制震テープを貼ることによって共鳴透過現象を低減し、低音域での遮
音性を向上する技術も、特許文献１により、提案されている。しかしながら、この方法で
は、材料費が嵩むだけでなく、制震テープを貼る作業が増えて、コストが高く付き、改善
の余地があった。
【先行技術文献】
【特許文献】
【０００９】
【特許文献１】実開平３−８２７１０号公報
【発明の概要】
【発明が解決しようとする課題】
【００１０】
本発明は、上述した問題点を踏まえてなされたものであって、その目的とするところは
、仕上げ寸法の増大や、コスト上の大幅な負担増を招くことなく、中空二重壁における共
鳴透過現象を低減し、低音域での遮音性を向上することにある。
【課題を解決するための手段】
【００１１】
上記の目的を達成するために、本発明が講じた技術的手段は、次の通りである。即ち、
請求項１の発明による中空二重壁は、コンクリート壁と、上階側及び下階側に固定された
上部ランナー及び下部ランナーと、上部ランナー及び下部ランナーに上端部及び下端部が
挿入された状態に立設したスタッドとから成る軽量鉄骨下地の前記スタッドに取り付けた
石膏ボードとで構成された中空二重壁であって、コンクリート壁とスタッド背面との間に
発泡樹脂製の振止め用支持材が充填され、振止め用支持材とコンクリート壁との間に防振
用面材がコンクリート壁と非接着状態に介在されていることを特徴としている。尚、防振
用面材は、コンクリート壁とは接着されていないが、防振用面材とスタッド背面との間に
充填された発泡樹脂製の振止め用支持材が発泡硬化することにより、振止め用支持材と接
着された状態となり、コンクリート壁に対して非接着状態であるにもかかわらず自重で落
下するようなことはない。
【００１２】
請求項２の発明は、請求項１に記載の中空二重壁であって、防振用面材が不織布等の柔
軟な多孔質材料であることを特徴としている。
【００１３】
請求項３の発明は、請求項１に記載の中空二重壁であって、防振用面材が板状に成形さ
れたビーズ法架橋ポリエチレンであることを特徴としている。
【００１４】
請求項４の発明は、請求項１〜３の何れかに記載の中空二重壁を構築する方法であって
、コンクリート壁に防振用面材を非接着状態に当接させた状態で、防振用面材とスタッド
背面との間隙に発泡ウレタン等の発泡性樹脂を充填することを特徴としている。
【発明の効果】
【００１５】
請求項１に記載の発明によれば、仕上げ寸法の増大や、コスト上の大幅な負担増を招く
ことなく、中空二重壁における共鳴透過現象を低減し、低音域での遮音性を向上すること
が可能である。即ち、コンクリート壁とスタッド背面との間に発泡樹脂製の振止め用支持
材を充填し、振止め用支持材とコンクリート壁との間に防振用面材をコンクリート壁と非
接着状態（接着されていない状態）に介在させたので、コンクリート壁と仕上げ壁の結合
を緩め、振止め用支持材を用いない状態まで、二重壁の共鳴透過現象を抑制することがで
き、低音域での遮音性を向上することができる。
【００１６】
それでいて、振止め用支持材を用いない場合のように、中空二重壁の面外強度を確保す
るために軽量鉄骨下地として高剛性のものを使用する必要がなく、また、石膏ボードとコ
ンクリート壁との間の空気層に吸音材を充填する必要もないので、大幅なコスト増を招か
ず、空気層の増大と石膏ボードの厚さ増大により、共鳴周波数を下げる場合のように、仕
上げ寸法が増大し、室内空間が狭くなるといった問題も生じない。
【００１７】
請求項２に記載の発明によれば、防振用面材として、不織布のような柔軟な多孔質材料
を用いるので、コンクリート壁と仕上げ壁の結合を緩めると共に、音響加振による微小振
動に対する弾性を抑えることができる。
【００１８】
請求項３に記載の発明によれば、防振用面材として、板状に成形されたビーズ法架橋ポ
リエチレン（ミラブロック：登録商標）を用いるので、防振用面材の損失係数が高く、防
振用面材の内部損失による制震効果が発揮され、防振用面材として不織布を用いる場合よ
りも効果的に二重壁の共鳴透過現象を抑制することができ、より一層、低音域での遮音性
を向上することができる。
【００１９】
請求項４に記載の発明によれば、コンクリート壁に防振用面材を非接着状態に当接させ
た状態で、防振用面材とスタッド背面との間隙に発泡ウレタン等の発泡性樹脂を充填する
ので、在来工法とさほど変わらない作業によって、請求項１〜３の何れかに記載の中空二
重壁を容易に構築できる効果がある。
【図面の簡単な説明】
【００２０】
【図１】本発明に係る中空二重壁の一部切欠き斜視図である。
【図２】本発明に係る中空二重壁の一部切欠き正面図である。
【図３】本発明に係る中空二重壁の縦断側面図である。
【図４】本発明に係る中空二重壁の施工方法を説明する図である。
【図５】本発明に係る中空二重壁の構成と効果を説明する図である。
【図６】本発明の他の実施形態を示す中空二重壁の一部切欠き正面図である。
【図７】本発明の他の実施形態を示す中空二重壁の要部の縦断側面図である。
【図８】実験に用いた二重壁試験体の説明図である。
【図９】従来の中空二重壁の縦断側面図である。
【図１０】従来の中空二重壁の問題点を説明する図である。
【発明を実施するための形態】
【００２１】
以下、本発明の実施形態を図面に基づいて説明する。図１〜図３は、本発明に係る中空
二重壁の一例を示す。図示の中空二重壁は、集合住宅における隣戸間の界壁として利用さ
れたもので、ＲＣ造のコンクリート壁１と、当該コンクリート壁１と空気層ａを隔てて立
設された仕上げ壁２とで構成されている。仕上げ壁２は、上階側及び下階側に固定された
上部ランナー３及び下部ランナー４と、上部ランナー３及び下部ランナー４に上端部及び
下端部が挿入された状態に立設したスタッド５とから成る軽量鉄骨下地ｂと、当該軽量鉄
骨下地ｂのスタッド５に取り付けた石膏ボード６とで構成されており、石膏ボード６には
塗装、壁紙等による仕上げが施されている。コンクリート壁１との間に形成される空気層
（中空部）ａは電気配線等に利用されている。
【００２２】
スタッド５背面とコンクリート壁１の間には、中空二重壁の面外強度を確保し、スタッ
ド５の振れ止めを行うために所定間隔おきに設置される支持材として、発泡ウレタン等の
発泡樹脂製の振止め用支持材７が充填されている。振止め用支持材7とコンクリート壁１
の間には、防振用面材８がコンクリート壁１と非接着状態（接着されていない状態）に介
在されている。
【００２３】
発泡樹脂製の振止め用支持材７とコンクリート壁１の間に防振用面材８を介在させるに
あたっては、図４に示すように、前記石膏ボード６を取り付ける前に、コンクリート壁１
に片手で防振用面材８を押し付ける等して非接着状態に当接させ、この状態で、防振用面
材８とスタッド５背面との間隙に、振止め用支持材７となる発泡ウレタン等の発泡性樹脂
を注入ガン９により充填することによって行うことができ、在来工法とさほど変わらない
作業によって容易に施工することが可能である。
【００２４】
防振用面材８としては、不織布のような柔軟な多孔質材料や、板状に成形されたビーズ
法架橋ポリエチレン、例えば、ミラブロック（登録商標）を用いることが望ましい。防振
用面材８は、コンクリート壁１とは接着されていないが、防振用面材８とスタッド５背面
との間に充填された発泡樹脂製の振止め用支持材７が発泡硬化することにより、振止め用
支持材７と接着された状態となり、コンクリート壁１に対して非接着状態であるにもかか
わらず自重で落下するようなことはない。
【００２５】
上記の構成によれば、仕上げ寸法の増大や、コスト上の大幅な負担増を招くことなく、
中空二重壁における共鳴透過現象を低減し、低音域での遮音性を向上することが可能であ
る。即ち、コンクリート壁１とスタッド５背面との間に発泡樹脂製の振止め用支持材７を
充填し、振止め用支持材7とコンクリート壁１との間に防振用面材８をコンクリート壁１
と非接着状態（接着されていない状態）に介在させたので、コンクリート壁１と仕上げ壁
２の結合を緩め、振止め用支持材７を用いない状態まで、二重壁の共鳴透過現象を抑制す
ることができ、低音域での遮音性を向上することができる。
【００２６】
それでいて、振止め用支持材７を用いない場合のように、中空二重壁の面外強度を確保
するために軽量鉄骨下地ｂとして高剛性のものを使用する必要がなく、また、石膏ボード
６とコンクリート壁１との間の空気層ａに吸音材を充填する必要もないので、大幅なコス
ト増を招かず、空気層ａの増大と石膏ボード６の厚さ増大により、共鳴周波数を下げる場
合のように、仕上げ寸法が増大し、室内空間が狭くなるといった問題も生じない。
【００２７】
防振用面材８として、不織布のような柔軟な多孔質材料を用いる場合は、コンクリート
壁１と仕上げ壁２の結合を緩めると共に、音響加振による微小振動に対する弾性を抑える
ことができる。
殊に、防振用面材８として、板状に成形されたビーズ法架橋ポリエチレン（ミラブロッ
ク：登録商標）を用いる場合は、防振用面材８の損失係数が高く、防振用面材８の内部損
失による制震効果が発揮されるので、防振用面材８として不織布を用いる場合よりも効果
的に二重壁の共鳴透過現象を抑制することができ、より一層、低音域での遮音性を向上す
ることができる。
【００２８】
図６は、本発明の他の実施形態を示す。この実施形態は、防振用面材８と振止め用支持
材７の設置個数を増すことによって、二重壁の共鳴透過現象をより一層低減する点に特徴
がある。その他の構成や作用は、先の実施形態と同じであるため、説明を省略する。
【００２９】
図７は、本発明の他の実施形態を示す。この実施形態は、上部ランナー３の上面に適当
間隔置きにパッキン１０を設置する一方、コンクリート壁１には梁型部１１を形成して、
上部ランナー３の上面と梁型部１１の間に天井裏空間ｃに通じる通気路ｄを形成し、二重
壁の空気層ａから天井裏空間ｃへの空気抜け径路を確保することにより、空気層ａによる
空気バネの作用を低減して、二重壁の共鳴透過現象をより一層低減する点に特徴がある。
その他の構成や作用は、先の実施形態と同じであるため、説明を省略する。
【００３０】
尚、本発明は、建物内を伝わる振動により内装壁等から室内に放射される固体伝搬音の
低減にも有効であり、界壁のみならず外壁の二重壁に適用することにより、二重壁の共鳴
周波数における室内の固体伝搬音低減（例えば、地下鉄固体音などの低減）の効果が期待
できる。
【００３１】
表１は、集合住宅を模したＲＣ造実大実験棟におけるＲＣ界壁を介する２室を実験室と
し、ＲＣ造壁両側に各種の中空二重壁を施工して、１２５Ｈｚ近辺での二重壁試験体の施
工によるＲＣ界壁単体に対する室間音圧レベル差の改善量を調べた実験結果を示す。防振
用面材８としては、表２に示す面材Ａと面材Ｂを使用した。図８と表３は、二重壁試験体
を示す。図８において、（Ａ）は発泡ウレタン製の振止め用支持材７を用いた二重壁試験
体、（Ｂ）は発泡ウレタン製の振止め用支持材７と防振用面材８を用いた二重壁試験体（
本発明の二重壁試験体）、（Ｃ）は振止め用支持材無しの二重壁試験体を示す。図中のａ
は空気層、Ｌは下地間隔を示す。表３に示すNo.１の二重壁試験体（軽量鉄骨スタッド４
０ｍｍ角、空気層５０ｍｍ、下地間隔３０３ｍｍ、石膏ボード９．５ｍｍ厚）に対して、
各支持材へ防振用面材８を挟み込み、室間音圧レベル差改善量を測定した。
【００３２】
【表１】
2015117521.tif 000003
【００３３】
【表２】
2015117521.tif 000004
【００３４】
【表３】
2015117521.tif 000005
【符号の説明】
【００３５】
１  コンクリート壁
２  仕上げ壁
３  上部ランナー
４  下部ランナー
５  スタッド
６  石膏ボード
７  発泡樹脂製の振止め用支持材
８  防振用面材
９  注入ガン
１０  パッキン
１１  梁型部
ａ  空気層
ｂ  軽量鉄骨下地
ｃ  天井裏空間
ｄ  通気路
【図１】
2015117521.tif 000006
【図２】
2015117521.tif 000007
【図３】
2015117521.tif 000008
【図４】
2015117521.tif 000009
【図５】
2015117521.tif 000010
【図６】
2015117521.tif 000011
【図７】
2015117521.tif 000012
【図８】
2015117521.tif 000013
【図９】
2015117521.tif 000014
【図１０】
2015117521.tif 000015